(57)【要約】  カートリッジホルダを麻酔液１．０ｍｌ及び１．８ｍｌ入りのカートリッジに共用できるように構成し、１．０ｍｌのカートリッジのプランジャゴム栓を押すのに必要とされる長さの押し棒で１．８ｍｌのカートリッジのプランジャゴム栓を押すことができるようにした二種類の歯科用麻酔液入りカートリッジ兼用電動注射器を提供する。  二種類の歯科用麻酔液入りカートリッジ兼用電動注射器に用いられるカートリッジホルダ（４）を、１．０ｍｌのカートリッジ（３ｂ）及び１．８ｍｌのカートリッジ（３ａ）に共用できるものとし、押し棒（６）は、押し棒の移動が、１．０ｍｌのカートリッジ及び１．８ｍｌのカートリッジに共通の位置で終わるように１．０ｍｌのカートリッジの設定位置及び該位置より引っ込んだ１．８ｍｌのカートリッジ設定位置と、を有し、前記終端位置から押し戻される押し棒の後端部分を受け入れ、押し棒が、１．０ｍｌのカートリッジの設定位置にあるとき、押し棒の後端面によって干渉されないが、１．８ｍｌのカートリッジ設定位置に押し戻されるとき、押し棒の後端面で後方に押される有底のスリーブ（２２）と、押し棒の前進移動の際スリーブを押し棒と一緒に前方に移動させるための戻しばね（２３）と、を含む。
2012140738.tif 000002
【特許請求の範囲】
【請求項１】
麻酔液入りカートリッジを装填したカートリッジホルダをカップリングによって電動注射器本体に装着し、駆動ユニットによって回転されるピニオンと押し棒のラックとの噛み合いにより、押し棒をゆっくり移動させ、麻酔液入りカートリッジのプランジャゴム栓を押してカートリッジの中の麻酔液をカートリッジから注射針を通して排出させるようにした歯科用麻酔液充填カートリッジ式電動注射器において、カートリッジホルダを、１．０ｍｌのカートリッジ及び１．８ｍｌのカートリッジに共用できるものとし、押し棒は、押し棒の移動が、１．０ｍｌのカートリッジ及び１．８ｍｌのカートリッジに共通の位置で終わるように１．０ｍｌのカートリッジの設定位置及び該位置より引っ込んだ１．８ｍｌのカートリッジ設定位置と、を有し、前記共通の終端位置から押し戻される押し棒の後端部分を受け入れ、押し棒が、１．０ｍｌのカートリッジの設定位置にあるとき、押し棒の後端面によって干渉されないが、１．８ｍｌのカートリッジ設定位置に押し戻されるとき、押し棒の後端面で後方に押される有底のスリーブと、押し棒の前進移動の際スリーブを押し棒と一緒に前方に移動させるための戻しばねと、を含む、二種類の歯科用麻酔液入りカートリッジ兼用電動注射器。
【請求項２】
コイル戻しばねは有底スリーブの周りに配置され、一端がスリーブの前方端に形成された周囲フランジに、他端が電動注射器本体の後端に設けられたボアの肩部に当接し、常態では、スリーブを動力ユニットの部分に当接状態に付勢し、押し棒の後端面に近接して位置し、押し棒の後端面で前記スリーブが後方に押されるとき、スリーブは電動注射器本体の後端に設けられたボアを貫いて突出する、請求項１に記載の二種類の歯科用麻酔液入りカートリッジ兼用電動注射器。
【請求項３】
スリーブは、麻酔液１．０ｍｌのカートリッジと１．８ｍｌのカートリッジとの長さの差よりも僅かに長い寸法のものである、請求項１又は２に記載の二種類の歯科用麻酔液入りカートリッジ兼用電動注射器。
【発明の詳細な説明】
【技術分野】
【０００１】
本発明は、麻酔液１．０ｍｌ及び１．８ｍｌ入りの二種類のカートリッジに共通に適用できる電動注射器に関する。
【背景技術】
【０００２】
かかる電動注射器に使用されるカートリッジは透明なガラス製であって、その中に歯科用の局所麻酔注射液が充填されている。カートリッジには、注射液の容量が１．８ｍｌおよび１．０ｍｌの二種類があり、カートリッジの内径・外形が同じであるため、長さが異なる。いずれのカートリッジの場合にも、麻酔処置の際、電動注射器は、一般的には、カートリッジをカートリッジホルダに装填し、カートリッジホルダを電動注射器のカップリングに装着し、両頭注射針をカートリッジホルダの先端に取付けカートリッジの内部と連通させて使用される。【０００３】
電動注射器は、カートリッジから麻酔液を、注射針を通して排出させるためにカートリッジのプランジャゴム栓を押すための押し棒と、押し棒を前進移動させるための作動装置とを備えている。かかる作動装置は、一般的には、モータ及び減速機を含む駆動ユニットの動力伝達によって回転されるピニオンと、ピニオンとの噛み合いで押し棒を直線的に移動させるための、押し棒に形成されたラックと、を含む。カートリッジホルダに装填されたカートリッジから麻酔液を、注射針を通して排出させるために、押し棒の直線移動は、カートリッジの麻酔液収容長さに相当する距離行われなければならない。押し棒の直線移動距離は、押し棒の特定部分でリミットスイッチをオフにし、それによってモータの回転を止めることによって規制されるようになっている。注射液の排出後は、カートリッジホルダをカップリングから外して駆動ユニットの動力伝達を絶ってピニオンを空回りの状態にし、押し棒を注射器本体内に同様の距離、手で押し戻す。その過程で、リミットスイッチは、押し棒の外面でオンの状態にされる。【０００４】
現在本出願人が歯科医に販売しているカートリッジ式電動注射器は、麻酔液１．０ｍｌ及び１．８ｍｌ入りのカートリッジの長さの違いからカートリッジのプランジャゴム栓を、麻酔液の排出のために押す距離が異なることから、電動注射器に装着されるカートリッジホルダ及び押し棒も含めてそれぞれ専用のものであった。電動注射器の普及に伴って、麻酔液１．０ｍｌ及び１．８ｍｌのカートリッジに共通して使用できる電動注射器の出現が歯科の業界で望まれてきた。在来の電動注射器の構成を念頭においてこのことを思考してみると、カートリッジホルダを麻酔液１．０ｍｌ及び１．８ｍｌ入りのカートリッジに共用できるようにすることは勿論であるが、１．０ｍｌ及び１．８ｍｌのカートリッジにとって共通の、押し棒の前進終端位置を確立し、１．８ｍｌのカートリッジについて、押し棒のスタート位置をカートリッジの長さの差に相当する距離だけ引っ込める必要がある。そうすると、電動注射器の押し棒は、１．８ｍｌのカートリッジのプランジャゴム栓を押すのに必要とされる長さのものであることから、カートリッジの長さの差に相当する分だけ押し棒は後方に延びることになり、そのため電動注射器本体を後方に可成り出っ張らす必要がある。この考え方に基づいてなされた発明は、特許文献１に開示されている。この特許文献１には、また、いずれのカートリッジのセット位置においても押し棒をカートリッジのプランジャゴム栓に一定圧力で当接させることも記載されている。しかしながら、特許文献１に開示される発明の構成は、コンパクトな電動注射器を目指す上では必ずしも好ましいものではない。【０００５】
【特許文献１】特許第４１９８４３５号明細書
【発明の開示】
【発明が解決しようとする課題】
【０００６】
本発明の目的は、カートリッジホルダを麻酔液１．０ｍｌ及び１．８ｍｌ入りのカートリッジに共用できるように構成し、１．０ｍｌのカートリッジのプランジャゴム栓を押すのに必要とされる長さの押し棒で１．８ｍｌのカートリッジのプランジャゴム栓を押すことができるようにした二種類の歯科用麻酔液入りカートリッジ兼用電動注射器を提供することにある。
【課題を解決するための手段】
【０００７】
本発明の上記の目的は、麻酔液入りカートリッジを装填したカートリッジホルダをカップリングによって電動注射器本体に装着し、駆動ユニットによって回転されるピニオンと押し棒のラックとの噛み合いにより、押し棒をゆっくり移動させ、麻酔液入りカートリッジのプランジャゴム栓を押してカートリッジの中の麻酔液をカートリッジから注射針を通して排出させるようにした歯科用麻酔液充填カートリッジ式電動注射器において、カートリッジホルダを、１．０ｍｌのカートリッジ及び１．８ｍｌのカートリッジに共用できるものとし、押し棒は、押し棒の移動が、１．０ｍｌのカートリッジ及び１．８ｍｌのカートリッジに共通の位置で終わるように１．０ｍｌのカートリッジの設定位置及び該位置より引っ込んだ１．８ｍｌのカートリッジ設定位置と、を有し、前記共通の終端位置から押し戻される押し棒の後端部分を受け入れ、押し棒が、１．０ｍｌのカートリッジの設定位置にあるとき、押し棒の後端面によって干渉されないが、１．８ｍｌのカートリッジ設定位置に押し戻されるとき、押し棒の後端面で後方に押される有底のスリーブと、押し棒の前進移動の際スリーブを押し棒と一緒に前方に移動させるための戻しばねと、を含む、二種類の歯科用麻酔液入りカートリッジ兼用電動注射器を提供することによって達成される。【０００８】
また、本発明による電動注射器では、コイル戻しばねは有底スリーブの周りに配置され、一端がスリーブの前方端に形成された周囲フランジに、他端が電動注射器本体の後端に設けられたボアの肩部に当接し、常態では、スリーブを動力ユニットの部分に当接状態に付勢し、押し棒の後端面に近接して位置する。【０００９】
さらにまた、本発明による電動注射器では、スリーブは、麻酔液１．０ｍｌのカートリッジと１．８ｍｌのカートリッジとの長さの差よりも僅かに長い寸法のものであるのが望ましい。【００１０】
さらにまた、本発明の電動注射器では、押し棒の後端面で前記スリーブが後方に押されるとき、スリーブは電動注射器本体の後端に設けられたボアを貫いて突出する。
【発明の効果】
【００１１】
本発明によれば、麻酔液１．０ｍｌのカートリッジ及び１．８ｍｌのカートリッジのいずれにおいても、カートリッジホルダに装填して、そのカートリッジホルダを、カップリングによって電動注射器に結合する。駆動ユニットによって回転されるピニオンと押し棒のラックとの噛み合いにより、押し棒をゆっくり移動させ、麻酔液入りカートリッジのプランジャゴム栓を押してカートリッジの中の麻酔液をカートリッジから注射針を通して排出させるものであるところ、押し棒の移動は、１．０ｍｌのカートリッジ及び１．８ｍｌのカートリッジに共通の位置で終わるように設定されているから、１．８ｍｌのカートリッジ設定位置は、１．０ｍｌのカートリッジの設定位置よりカートリッジの長さの差だけ引っ込んでおり、押し棒が前記共通の終端位置から押し戻されるとき、有底スリーブは、押し棒の後端部分を受け入れ、押し棒が１．０ｍｌのカートリッジの設定位置にあるときには、押し棒の後端面によって押されることなくその場に留まり、押し棒が１．８ｍｌのカートリッジ設定位置に戻されるときには、押し棒の後端面で後方に押されて戻しばねを蓄圧する。かくして、いずれのカートリッジの場合にも、麻酔液をカートリッジから注射針を通して排出させるために、押し棒の前進直線移動によりカートリッジのプランジャゴム栓を押すことになるが、１．８ｍｌのカートリッジの場合にはスリーブが、その周囲フランジに及ぼされる戻しばねの作用で押し棒と一緒に、駆動ユニットに当接するまで、前方に移動する。
【図面の簡単な説明】
【００１２】
【図１】麻酔液１．０ｍｌのカートリッジを使用している本発明による電動注射器の断面側面図である。
【図２】図１の電動注射器の平面断面図である。
【図３】麻酔液１．８ｍｌのカートリッジを使用している本発明による電動注射器の断面側面図である。
【図４】押し棒の斜視図である。
【発明を実施するための最良の形態】
【００１３】
図面の図１を参照すると、本発明の電動注射器１は、プラスチック製の注射器本体２を含み、その先端部に麻酔液充填カートリッジ３を装填した金属製のカートリッジホルダ４を着脱自在に装着するカップリング５を備えている。カップリング５は、注射器本体２に取付けられ、かつ金属製の丸棒状の押し棒６を通す貫通孔７及びカートリッジホルダ４がカップリング５に装着される際カートリッジホルダ４を受け入れる受け口８を有する金属製の支持体９にねじ結合されている。【００１４】
カートリッジホルダ４は、その対向側面に、中に装填されたカートリッジを確認するのに都合のよい窓４ａ、４ｂを備え、麻酔液１．０ｍｌ入りカートリッジ３ｂ及び１．８ｍｌ入りのカートリッジ３ａに共用のものとして提供され、且つカートリッジホルダ４がカップリング５に装着されるとき後端面４’が受け口８の底に当たるような寸法形状をなしている。押し棒６は、先端にカートリッジ３のプランジャゴム栓１０に後から当たる当接体１１を備え、押し棒６の後方部分には、その片側に平坦なラック１２が形成されている。押し棒６は、１．０ｍｌのカートリッジ３ｂのプランジャゴム栓１０を、その中の麻酔液の全ての排出のために押すのに必要とされる長さのものであるのがよい。【００１５】
電動注射器１は、その本体２内に固定された作動装置１５を含み、該作動装置１５は、モータ及び減速機（図示せず）を含む駆動ユニット１６を備え、その出力軸に固着されたピニオン１７が押し棒６のラック１２と噛み合っている。参照番号１８は、カートリッジホルダ４が受け口８に差し込まれたとき、その後端面４’で押されて駆動ユニット１６のクラッチ（図示せず）を繋ぐべくクラッチレバー１９をそのクラッチ解除位置からクラッチ係合位置に操作するようになった制御ロッドである。制御ロッド１８は、支持体９に、押し棒６用の貫通孔７と並行に設けられた貫通孔２０に通され、カートリッジホルダ４がカップリング５から外されて受け口８から引き抜かれるとき、コイル状引っ張りばね２１の作用によりクラッチレバー１９をクラッチ解除位置に復帰させ、これにより受け口８の中へ前方に移動される。駆動ユニット１６のクラッチはクラッチレバー１９のかかる動作により解除され、ピニオン１７への動力伝達が絶たれ、押し棒６の手動による移動を可能にする。【００１６】
押し棒６の引っ込み位置において、その後端部分を受け入れるようになった有底スリーブ２２が設けられ、該スリーブ２２は、麻酔液１．０ｍｌのカートリッジと１．８ｍｌのカートリッジとの長さの差よりも僅かに長い寸法のものであるのが望ましい。コイル戻しばね２３がスリーブ２２の周りに配置され、一端がスリーブ２２の周囲フランジ２４に、他端が電動注射器本体２の後端に設けられたボア２５の肩部２６に当接し、常態では、スリーブ２２を動力ユニット１６の部分に当接状態に付勢する。その状態では、スリーブ２２は押し棒６の後端面に近接して位置する。なお、参照番号２７は電動注射器のメインスイッチ、２８はリミットスイッチであって、押し棒６が所定距離移動して押し棒６に設けられた凹部２９に対峙したときオンからオフに切り換えられて、駆動ユニット１６のモータの回転を止める。３０はモータ等の電源である電池ボックスである。【００１７】
麻酔液１．０ｍｌのカートリッジ３ｂを使用する場合には、カートリッジホルダ４にカートリッジ３ｂを装填して、そのカートリッジホルダ４を、受け口８にその底に当たるまで差し込んでカップリング５に結合する。その過程で、カートリッジ３ｂのプランジャゴム栓１０が当接体１１に当たって押し棒６を後方に少し押すが、押し棒６の後端面はスリーブ２２の底に接触しない程度に最接近しカートリッジ３ｂの設定位置を確立する。【００１８】
麻酔液１．８ｍｌのカートリッジ３ａを使用する場合にも、カートリッジホルダ４にカートリッジ３ａを装填してから、カートリッジホルダ４を受け口８にその底に当たるまで差し込んでカップリング５に結合することはカートリッジ３ｂの場合と同じであるが、カートリッジ３ａのプランジャゴム栓１０が当接体１１に当たって押し棒６をカートリッジ３ａとカートリッジ３ｂとの長さの差に相当する距離、後方に押す。このとき、押し棒６の後端面がスリーブ２２の底に当たってスリーブ２２を押すため、スリーブ２２はボア２５の中を通って後方に突出し、且つコイル戻しばね２３を圧縮する。かくしてコイル戻しばね２３の大きな反発力で押し棒６はカートリッジ３ａのブランジャゴム栓１０に圧接してカートリッジ３ａの設定位置を確立する。【００１９】
電動注射器は、両頭注射針（図示せず）をカートリッジホルダ４の先端に取付けカートリッジの内部と連通させて使用の準備が整う。いずれのカートリッジの場合にも、電動注射器は、メインスイッチ２７を操作することによって作動される。押し棒６は駆動ユニット１６の動力伝達によって回転されるピニオン２１とラック１２との噛み合いで前進され、その先端でカートリッジのプランジャゴム栓１０を押してカートリッジ内の麻酔液を注射針を通して排出させる。麻酔液１．０ｍｌカートリッジの場合には、押し棒６の前進直線移動は定置状態にあるスリーブ２２から抜け出しながら行われ、押し棒の先端は、ついには終端位置に至り、注射を完了する。麻酔液１．８ｍｌのカートリッジの場合には、圧縮された戻しばね２３の反発力により、スリーブ２２はその前方端面が駆動ユニット１６の側面に当るまで、押し棒６と一緒に前方に移動する。駆動ユニット１６の側面との当接によりスリーブ２２の移動が止められ、押し棒６はスリーブ２２から抜け出しながら前方に直線的に移動し続けて麻酔液１．０ｍｌのカートリッジの場合におけると同じ終端位置に至り、注射を完了する。【００２０】
いずれのカートリッジの場合にも、注射の完了で、カートリッジホルダ４をカップリング５から外して受け口８から引き抜く。この時点では、先に述べたように、押し棒６を手でカップリング５に向かって自由に押し戻すことができる。押し戻し中、押し棒６の後端部分は定置状態にあるスリーブ２２の中に入り込む。先に述べたように、スリーブ２２は、１．０ｍｌのカートリッジの設定位置では、押し棒の後端面によって押されることなくその場に留まり、１．８ｍｌのカートリッジ設定位置では、押し棒の後端面で、戻しばねを蓄圧しながら、後方に押される。かくして、いずれのカートリッジの場合にも、麻酔液をカートリッジから注射針を通して排出させるために、押し棒の前進移動によりカートリッジのプランジャゴム栓を押すことになるが、１．８ｍｌのカートリッジの場合にはスリーブが戻しばねの作用で押し棒と一緒に前方に移動する。【００２１】
本発明によれば、カートリッジホルダを、１．０ｍｌのカートリッジ及び１．８ｍｌのカートリッジに共用できるものとし、押し棒は、押し棒の移動が、１．０ｍｌのカートリッジ及び１．８ｍｌのカートリッジに共通の位置で終わるように１．０ｍｌのカートリッジの設定位置及び該位置より引っ込んだ１．８ｍｌのカートリッジ設定位置とを有し、押し棒が前記共通の終端位置から押し戻されるとき、押し棒の後端部分を受け入れる有底のスリーブと、押し棒が１．８ｍｌのカートリッジ設定位置に押し戻されるとき、押し棒の後端面で前記スリーブを後方に押し、押し棒の前進移動の際スリーブを押し棒６と一緒に前方に移動させるための戻しばねと、を含むから、１．０ｍｌのカートリッジのプランジャゴム栓を押すのに必要とされる長さの押し棒で１．８ｍｌのカートリッジのプランジャゴム栓を押すことができる。このことから、本発明では、電動注射器の寸法形状をコンパクトにすることができる。
【符号の説明】
【００２２】
１  電動注射器
２  注射器本体
３  麻酔液充填カートリッジ
３ａ  １．８ｍｌのカートリッジ
３ｂ  １．０ｍｌのカートリッジ
４  カートリッジホルダ
５  カップリング
６  押し棒
８  受け口
４’後端面
１０  プランジャゴム栓
１２  ラック
１５  作動装置
１６  駆動ユニット
１７  ピニオン
２２  有底スリーブ
２３  コイル戻しばね
２４  周囲フランジ
２５  ボア２５
２６  肩部
【図１】
2012140738.tif 000003
【図２】
2012140738.tif 000004
【図３】
2012140738.tif 000005
【図４】
2012140738.tif 000006
【国際調査報告】
2012140738.tif 000007
2012140738.tif 000008